(57)【要約】【課題】複数のユニットを互いに連動させて同時に稼動させることができる無線通信端末機およびそのガイドユニットを提供する。【解決手段】端末機本体と、前記端末機本体に設置されるスライド可能なカバーユニットと、前記端末機本体に設置される可動式の端子ユニットと、前記カバーユニットの閉鎖位置から開放位置へのスライドをガイドする第１ガイドユニットと、前記カバーユニットの前記開放位置への固定と前記端子ユニットの動きに連動して前記開放位置に位置した前記カバーユニットの固定を解除することとが可能な第２ガイドユニットとを備える無線通信端末機。【選択図】図２
2010206781.tif 000002
【特許請求の範囲】
【請求項１】
端末機本体と、
前記端末機本体に設置されるスライド可能なカバーユニットと、
前記端末機本体に設置される可動式の端子ユニットと、
前記カバーユニットの閉鎖位置から開放位置へのスライドをガイドする第１ガイドユニットと、
前記カバーユニットの前記開放位置への固定と前記端子ユニットの動きに連動して前記開放位置に位置した前記カバーユニットの固定を解除することとが可能な第２ガイドユニットと、
を備えることを特徴とする無線通信端末機。
【請求項２】
前記第１ガイドユニットは、
前記端末機本体に設けられる１つ以上のレールと、
前記カバーユニットに連動して前記レールに沿って動くフレームと、
前記フレームに連結され、前記カバーユニットを前記閉鎖位置側へと移動させる弾性力を提供する弾性体と、
を備えることを特徴とする請求項１に記載の無線通信端末機。
【請求項３】
前記第２ガイドユニットは、
前記端末機本体に設置され、前記カバーユニットが前記開放位置に位置する際に、前記端子ユニットと接触する加圧体と、
前記フレームに設けられ、前記カバーユニットが前記閉鎖位置に位置する際に、前記加圧体を支持する連動レールと、
前記連動レールに形成され、前記カバーユニットが開放位置に位置する際に前記加圧体と噛み合ってその位置を固定する稼動爪と、
を備えることを特徴とする請求項２に記載の無線通信端末機。
【請求項４】
前記端子ユニットは、前記カバーユニットに干渉されない状態で第１方向に回転可能であり、前記第１方向に回転した状態から第２方向に回転して姿勢変換が可能であることを特徴とする請求項１から３のいずれかに記載の無線通信端末機。
【請求項５】
前記カバーユニットにはインテナが内蔵されることを特徴とする請求項１から３のいずれかに記載の無線通信端末機。
【請求項６】
前記端子ユニットは、ＵＳＢ端子を含むことを特徴とする請求項１から３のいずれかに記載の無線通信端末機。
【請求項７】
端末機本体と、
前記端末機本体に設置される可動式のカバーユニットと、
前記端末機本体の第１収納空間から解除位置へと移動可能に設置され、前記カバーユニットによって少なくとも一部がカバーされる端子ユニットと、
前記カバーユニットが前記第１収納空間に位置する前記端子ユニットをカバーして位置を固定する閉鎖位置と、前記カバーユニットが前記端子ユニットをカバーせず前記端子ユニットの固定を解除する開放位置との間での前記カバーユニットの移動をガイドするとともに、前記閉鎖位置および前記開放位置に位置する前記カバーユニットの姿勢を固定させるガイドユニットと、
を備えることを特徴とする無線通信端末機。
【請求項８】
前記ガイドユニットは、
前記端末機本体に設けられる１つ以上のレールと、前記カバーユニットに連動して前記レールに沿って動くフレームと、前記フレームと連結して前記カバーユニットを前記閉鎖位置へと移動させる復元力を提供する弾性体とを含む第１ガイドユニットと、
前記端末機本体の外側方向へと前後進可能なように前記端末機本体に設置されて少なくとも一部が前記端子ユニットと接触する加圧体と、前記フレームに形成されて前記端末機本体の内側方向前記加圧体を弾性支持する連動レールと、前記連動レールに形成されて前記カバーユニットが前記開放位置に移動するときに前記加圧体と噛み合って前記加圧体の位置を固定させる稼動爪とを含む第２ガイドユニットと、
を備えることを特徴とする請求項７に記載の無線通信端末機。
【請求項９】
前記カバーユニットは、前記閉鎖位置と前記開放位置との間をスライド可能であり、
前記端子ユニットは、前記カバーユニットの前記開放位置への移動に連動して回転軸を中心として第１方向に回転可能であり、前記第１方向に回転した状態から第２方向に回転して姿勢変換が可能であることを特徴とする請求項７または８に記載の無線通信端末機。
【請求項１０】
前記カバーユニットにはインテナが内蔵されることを特徴とする請求項７から９のいずれかに記載の無線通信端末機。
【請求項１１】
前記端子ユニットは、ＵＳＢ端子を含むことを特徴とする請求項７から１０のいずれかに記載の無線通信端末機。
【請求項１２】
一部に収納部が形成された端末機本体と、
前記端末機本体にヒンジで連結され、前記収納部へと収納および搬出が可能な端子ユニットと、
前記端末機本体に設置され、閉鎖位置に位置するときに前記収納部の少なくとも一部を閉鎖する開放位置と閉鎖位置との間をスライド可能なカバーユニットと、
前記カバーユニットの開放位置への固定と、前記端子ユニットが収納部へと移動するときに前記端子ユニットの動きに連動して前記カバーユニットを閉鎖位置に移動させるガイドとが可能なガイドユニットと、
を備えることを特徴とする無線通信端末機。
【請求項１３】
前記ガイドユニットは、
前記端末機本体に設けられる１つ以上のレールと、
前記カバーユニットに連動し、前記レールに沿って動くフレームと、
前記フレームに連結され、前記カバーユニットを前記閉鎖位置へと移動させる弾性力を提供する弾性体と、
前記端末機本体に設置され、前記カバーユニットが前記収納部に位置する際に、前記端子ユニットと接触する加圧体と、
前記フレームに設けられ、前記カバーユニットが閉鎖位置に位置する際に、前記加圧体を弾性支持する連動レールと、
前記連動レールに形成され、前記カバーユニットが開放位置に位置する際に前記加圧体と噛み合ってその位置を固定する稼動爪と、
を備えることを特徴とする請求項１２に記載の無線通信端末機。
【請求項１４】
前記カバーユニットは、前記閉鎖位置に位置する際に前記端子ユニットの少なくとも一部分をカバーして前記端子ユニットの移動を制限することを特徴とする請求項１２または１３に記載の無線通信端末機。
【請求項１５】
前記端子ユニットは、前記カバーユニットが開放位置に移動するときにヒンジ軸を中心として回転して前記収納部の外側に突出することを特徴とする請求項１２から１４のいずれかに記載の無線通信端末機。
【請求項１６】
前記カバーユニットにはインテナが内蔵されることを特徴とする請求項１２から１５のいずれかに記載の無線通信端末機。
【請求項１７】
前記端子ユニットは、ＵＳＢ端子を含むことを特徴とする請求項１２から１６のいずれかに記載の無線通信端末機。
【請求項１８】
端末機本体に一部領域が重畳するように収納される第１ユニットおよび第２ユニットを互いに連動させて位置移動させるガイドユニットであって、
前記ガイドユニットは、前記第１ユニットおよび第２ユニットのいずれかの位置移動に連動して他の１つの位置を自動で移動させることを特徴とするガイドユニット。
【請求項１９】
前記第１ユニットはインテナが内蔵されたカバーを含み、
前記第２ユニットはＵＳＢ端子を含むことを特徴とする請求項１８に記載のガイドユニット。
【発明の詳細な説明】
【技術分野】
【０００１】
本発明は、無線通信端末機に関し、より詳細には、端子ユニットと、端子ユニットの動きに連動するカバーユニットとを備える無線通信端末機およびそのガイドユニットに関する。
【背景技術】
【０００２】
一般的に、無線通信端末機とは、ユーザが携帯しながら無線で所定の信号を送受信することができる機器（送信のみ、または受信のみをすることができる機器を含む）を総称する。このような無線通信端末機は、個人携帯通信端末機（ＰＣＳ、ｐｅｒｓｏｎａｌ  ｃｏｍｍｕｎｉｃａｔｉｏｎ  ｓｅｒｖｉｃｅｓ）、個人携帯コンピュータ（ＰＤＡ、ｐｅｒｓｏｎａｌ  ｄｉｇｉｔａｌ  ａｓｓｉｓｔａｎｔｓ）、スマートフォン、携帯用マルチメディア再生装置（ＰＭＰ、ｐｏｒｔａｂｌｅ  ｍｕｌｔｉｍｅｄｉａ  ｐｌａｙｅｒ）、および無線ＬＡＮ端末機などを含む。また、最近では、場所に関係なく無線でインターネット環境を提供するために、ノートパソコンのようなコンピュータに接続される無線通信端末機も提供されている。
【０００３】
このような無線通信端末機には、無線で信号を送受信するためにアンテナが装着されているが、最近ではユーザの携帯性の増進のために端末機に内蔵されるインテナ（ｉｎｔｅｎｎａ）が主に採用されている。また、ノートパソコンのようなコンピュータに接続するために、無線通信端末機にはＵＳＢ端子のような接続端子が設けられている。
【０００４】
ところが、このような無線通信端末機は、携帯性の増進のためにその大きさが次第に小型化しており、それに伴い内蔵されたインテナの放射パターンは段々と制限されている。すなわち、インテナで多様な放射パターンをどれだけ実現できるかは、端末機の大きさおよび厚さに左右されるところ、小型化された無線通信端末機には限界がある。
【０００５】
また、コンピュータに接続するための接続端子が、無線通信端末機から突出して露出していることにより、使用の不便を引き起こしたり、突出した状態による接続端子の損傷を引き起こすことがある。
【発明の概要】
【発明が解決しようとする課題】
【０００６】
本発明は、上述した問題点を解決するために、端子ユニットと、端子ユニットと連動するカバーユニットとを備える無線通信端末機およびそのガイドユニットを提供することを目的とする。
【０００７】
また、本発明は、カバーユニットに内蔵されたインテナの放射パターンを多様化させることができる無線通信端末機およびこのガイドユニットを提供することを他の目的とする。
【課題を解決するための手段】
【０００８】
上述したような目的を達成するために、本発明に係る無線通信端末機は、端末機本体と、カバーユニットと、端子ユニットと、ガイドユニットとを備える。
【０００９】
前記端末機本体は、無線通信端末機の本体を指称し、カバーユニットと端子ユニットとが収納される収納部が設けられる。このとき、前記収納部は、一部領域が互いに重畳する第１および第２収納空間に区分されてもよい。前記第１および第２収納空間の一部領域が互いに重畳することにより、前記カバーユニットが端子ユニットの一部をカバーする。
【００１０】
前記カバーユニットは、前記第１収納空間に収納され、前記収納部の少なくとも一部を開放する開放位置と全てを閉鎖する閉鎖位置との間でスライド可能なように前記端末機本体に設置される。ここで、前記カバーユニットには、所定の放射パターンを形成して無線通信を実現させるインテナが内蔵される。
【００１１】
前記端子ユニットは、前記第２収納空間に収納され、前記カバーユニットによって位置が固定される固定位置と前記カバーユニットの開放位置への移動に連動して固定が解除され移動可能となる解除位置との間で第１方向へと回転可能なように前記端末機本体に設置される。すなわち、前記端子ユニットは、前記収納部に収納および搬出可能に設けられる。ここで、前記端子ユニットは、前記解除位置で第２方向へと回転し、姿勢変換が可能なように構成されてもよい。
【００１２】
前記ガイドユニットは、前記カバーユニットを開放位置に固定して前記端子ユニットが収納部に位置するときに、前記端子ユニットと連動して前記カバーユニットの開放位置から閉鎖位置への移動をガイドする。このとき、前記ガイドユニットは、前記カバーユニットが前記端子ユニットをカバーする閉鎖位置とカバーしない開放位置との間で前記カバーユニットの動きをガイドする第１ガイドユニットと、前記カバーユニットを前記開放位置に固定することと、前記端子ユニットの動きに連動して前記開放位置に位置した前記カバーユニットの固定を解除することができる第２ガイドユニットとを備える。
【００１３】
このような第１ガイドユニットは、前記端末機本体に設けられる少なくとも１つのレールと、前記カバーユニットに連動して前記レールに沿ってスライドするフレームと、前記フレームと連結して前記カバーユニットを前記閉鎖位置へと移動させる復元力を有する弾性体とを備える。
【００１４】
前記第２ガイドユニットは、前記収納部の内側に向かって一部が突出して前記端子ユニットと接触する加圧体と、前記フレームに形成されて前記加圧体を弾性支持する連動レールと、前記連動レールに形成されて前記カバーユニットが開放位置に移動するときに前記加圧体と噛み合ってその位置を固定する稼動爪とを備える。
【発明の効果】
【００１５】
上述したような構成を有する本発明によれば、第１に、カバーユニットまたは端子ユニットのうちのいずれか１つの位置の移動に連動して他のユニットの位置を同時に移動させることができ、操作性が向上した無線通信端末機を提供することができる。
【００１６】
第２に、カバーユニットと端子ユニットが端末機本体に少なくとも一部領域が重畳するように収納されることにより、操作性と携帯性が向上した小型の無線通信端末機を提供することができる。
【００１７】
第３に、カバーユニットが端末機本体に対して収納部を開放させる開放位置に移動して突出することにより、カバーユニットに内蔵されたインテナによって形成される放射パターンを多様化させることができる。これにより、小型無線通信端末機でも高品質の放射性能を実現できる。
【図面の簡単な説明】
【００１８】
【図１】本発明の一実施形態に係る無線通信端末機を概略的に示す斜視図である。
【図２】図１に示す無線通信端末機のカバーユニットが開放位置に移動した状態を概略的に示す斜視図である。
【図３】図１に示す無線通信端末機の分解斜視図である。
【図４】本発明の一実施形態に係るカバーユニットが閉鎖位置に位置するときのガイドユニットの状態を説明するための図である。
【図５】本発明の一実施形態に係るカバーユニットが開放位置に位置するときのガイドユニットの状態を説明するための図である。
【図６】図４のＶＩ−ＶＩ線に沿って切断した場合における、カバーユニットが閉鎖位置にある状態と開放位置にある状態とを示す断面図である。
【図７】図４のＶＩＩ−ＶＩＩ線に沿って切断した場合における、カバーユニットが閉鎖位置にある状態と開放位置にある状態とを示す断面図である。
【発明を実施するための形態】
【００１９】
以下、本発明の一実施形態について、添付の図面を参照しながら説明する。
【００２０】
図１〜５を参照すると、本発明の一実施形態に係る無線通信端末機１は、端末機本体１０と、カバーユニット２０と、端子ユニット３０と、ガイドユニット４０とを備える。ここでは、本発明で説明する無線通信端末機１として、携帯用ノートパソコンに連結され、場所に関係なく無線インターネット環境を提供する無線通信端末機を例示する。
【００２１】
端末機本体１０は、図１に示すように、無線通信端末機１の本体である。このような端末機本体１０には、図２に示すように、後述するカバーユニット２０と端子ユニット３０の少なくとも一部領域が重畳して収納される収納部が設けられる。より具体的には、端末機本体１０に設けられる収納部は、カバーユニット２０と端子ユニット３０とがそれぞれ収納されて一部が互いに重畳する第１収納空間１１および第２収納空間１２を含んで構成される。
【００２２】
また、端末機本体１０の内部には、図示してはいないが、送受信する無線信号を処理することができる制御基板といった無線通信に必要な部品が装着される。このような無線通信のために端末機本体１０の内部に装着される部品に関する技術構成は、公知の技術から理解可能であるため、詳細な説明および図示は省略する。
【００２３】
カバーユニット２０は、図１および図２に示すように、端末機本体１０の第１収納空間１１に収納されて第１収納空間１１をカバーする閉鎖位置と、第１収納空間１１の少なくとも一部をカバーしない開放位置との間で移動が可能なように設置される。ここで、カバーユニット２０は、端末機本体１０の長手方向を基準とした一端に向かって突出するように設置される。
【００２４】
具体的には、カバーユニット２０は、第１収納空間１１に収納される閉鎖位置と、この第１収納空間１１から図２に示すＭ１方向に搬出されて第１収納空間１１を開放させる開放位置との間でスライド可能に設置されてもよい。もっとも、カバーユニット２０は、端末機本体１０に対して必ずしもＭ１およびＭ２方向にスライド可能に設置されなくともよく、カバーユニット２０が端末機本体の第１収納空間１１を開放及び閉鎖させることができる位置間で回転するような変形例も可能である。
【００２５】
一方、カバーユニット２０は、図示してはいないが、所定の放射パターンを形成して無線で信号を送受信するためのインテナ（図示せず）が内蔵される。ここで、インテナとは、外部に突出した別途の突出部がなくてもアンテナ特性が維持されるように設計された一種の内臓型アンテナであり、無線通信端末機１の小型化、外的デザイン性の向上、電磁波の発生などにおいて有利な技術構成である。
【００２６】
これにより、カバーユニット２０が図２のように開放位置に向かってＭ１方向にスライドする場合には、第１収納空間１１に収納された状態に比べてより多様な放射パターンをカバーユニット２０が形成できるようになる。すなわち、端末機本体１０の大きさと厚さなどのような端末機本体１０の条件に関係なく、カバーユニット２０が選択的にスライドすることにより、インテナの放射パターンの多様化を実現することができる。
【００２７】
端子ユニット３０は、携帯用ノートパソコンのようなコンピュータに接続されるＵＳＢ（Ｕｎｉｖｅｒｓａｌ  Ｓｅｒｉａｌ  Ｂｕｓ）接続部３１を備え、端末機本体１０に移動可能に設置される。このとき、端子ユニット３０は、図１に示すように、端末機本体１０に設けられた第２収納空間１２に収納されて閉鎖位置のカバーユニット２０によって位置が固定される固定位置と、図２に示すように、第２収納空間１２から搬出して位置固定が解除された解除位置との間で移動可能である。ここで、第１収納空間１１および第２収納空間１２の一部が互いに重畳するので、端子ユニット３０の少なくとも一部分、すなわちＵＳＢ接続部３１は、固定位置に位置するときにカバーユニット２０と接触して位置が固定される。これにより、カバーユニット２０の閉鎖位置は、端子ユニット３０の回転が制限される固定位置に対応し、カバーユニット２０の開放位置は、端子ユニット３０の回転制限が解除される解除位置に対応する。これにより、一部のユニットの動きに他のユニットの動きを連動させることが可能となり、また、重畳した構成により小型化することができ、無線通信端末機の操作性と携帯性が向上する。
【００２８】
また、本実施形態では、端子ユニット３０が、図２に示すＭ３およびＭ４方向のように、第２収納空間１２に収納される固定位置と、第２収納空間１２から搬出され端末機本体１０より突出する解除位置との間を結んだ移動方向である第１方向に回転可能なように端末機本体１０の他端にヒンジ軸によって連結される。同時に、図２（ｃ）に示すように、端子ユニット３０が、解除位置から第１方向に対して直交する第２方向に回転することで、姿勢変換が可能なように構成されてもよい。このとき、端子ユニット３０と端末機本体１０との間の第１方向への回転結合のためのヒンジ軸は、端子ユニット３０の回転範囲をガイドすると同時に、端子ユニット３０を解除位置側に弾力支持できるように構成されてもよい。しかしながら、本発明は必ずしもこの構成に限定されるのではなく、スライドするカバーユニット２０のように、端子ユニット３０が端末機本体１０に対してスライド可能であるといった構成による変形例も可能である。
【００２９】
なお、端子ユニット３０の第１よび第２方向への回転のためのヒンジ軸の技術構成は、公知の技術から理解が可能であるので、詳しい説明および図示は省略する。
【００３０】
ガイドユニット４０は、図２及び図３に示すように、カバーユニット２０の開放位置への移動をガイドし、ガイドユニット２０を開放位置に固定してもよく、端子ユニット３０の第２収納空間１２への移動に連動し、カバーユニット２０を閉鎖位置に移動させるようにガイドしてもよい。このとき、ガイドユニット４０は、カバーユニット２０または端子ユニット３０のうちのいずれか１つの位置移動に連動して他のユニットの移動をガイドする。このために、ガイドユニット４０は、図３〜７に示すように、互いに連動する第１ガイドユニット５０および第２ガイドユニット６０を備えてもよい。これにより、各ユニット間の移動が連動するため、無線通信端末機の操作性が向上する。
【００３１】
第１ガイドユニット５０は、カバーユニット２０のＭ１およびＭ２方向へのスライド移動をガイドする。このために、第１ガイドユニット５０は、図３および図４に示すように、レール５１と、フレーム５２と、弾性体５５とを備えてもよい。
【００３２】
レール５１は、端末機本体１０にＭ１およびＭ２方向に１つ以上設けられる。本実施形態では、一対のレール５１が設けられることを例示しているが、端末機本体１０の大きさおよび設置位置などを考慮してレール５１の数は変更してもよい。
【００３３】
フレーム５２は、カバーユニット２０と連結し、図４および図５に示すように、カバーユニット２０のスライドに連動してレール５１に沿ってスライドする。ここで、図４および図７に示すように、フレーム５２は、レール５１に挿入されるレール５１に対応した数のスライド突起５３を備える。本実施形態では、一対のレール５１が設けられているので、レール５１と対向する位置に一対のスライド突起５３が設けられたことを例示する。ここで、フレーム５２は、カバーユニット２０とスクリューＳによって締結されて互いに連結する。
【００３４】
弾性体５５は、フレーム５２と端末機本体１０との間に設置され、開放位置から閉鎖位置へとカバーユニット２０を移動させる復元力を提供する。ここで、弾性体５５は、フレーム５２と端末機本体１０に一端と他端がそれぞれ連結するように設けられた引張バネ（Ｔｅｎｓｉｏｎ  ｓｐｒｉｎｇ）を含んでもよい。本実施形態では、弾性体５５の一端はフレーム５２に設けられた係止フック５４に係止固定され、他端は端末機本体１０にスクリューＳで固定されることを例示する。このような構成により、開放位置にスライドしたカバーユニット２０の位置固定力が解除される場合、弾性体５５がカバーユニット２０を閉鎖位置側に弾性加圧して復元させることができる。このとき、弾性体５５の弾性力を調節することにより、開放位置から閉鎖位置に向かうカバーユニット２０の復元速度を調節することができる。
【００３５】
なお、本実施形態における弾性体５５は引張バネに限定されず、カバーユニット２０を閉鎖位置から開放位置側に加圧して復元することができる加圧手段、例えばトーションスプリングのような多様な加圧手段のうちのいずれか１つを、採用してもよい。
【００３６】
第２ガイドユニット６０は、カバーユニット２０の開放位置に固定させることができ、また、端子ユニット３０の動きに連動して開放位置に位置したカバーユニット２０の固定を解除することができる。このために、第２ガイドユニット６０は、図３〜５に示すように、加圧体６１と、連動レール６５と、稼動爪６６とを備え、図２のようにＭ３およびＭ４方向に端子ユニット３０を回転させてもよい。
【００３７】
加圧体６１は、図４〜７に示すように、第１収納空間１１および第２収納空間１２が互いに重畳する収納部の内側に向かって突出し、突出方向への前後進が可能なように設けられ、少なくとも一部が端子ユニット３０と接触するように設けられる。このような加圧体６１は、端末機本体１０から前後進方向に突出したガイド突起１３に挿入するガイド溝６２を備え、これにより前後進がガイドされてもよい。また、加圧体６１は、端末機本体１０にスクリューＳで固定設置される後進支持体６３によって後進する範囲が制限されてもよい。ここで、加圧体６１と後進支持体６３との間には、図３および図６に示すように、加圧体６１を前進させる方向に弾性支持する加圧スプリング６４が介在することによって、加圧体６１の前進を補助する。
【００３８】
なお、図６と上述した内容を参照しつつ参考までに説明すると、第２収納空間１２に収納された端子ユニット３０の姿勢を固定させる姿勢固定力は、閉鎖位置に位置して端子ユニット３０の一部であるＵＳＢ接続部３１をカバーするカバーユニット２０によって提供される。
【００３９】
連動レール６５は、図４〜７に示すように、加圧体６１を後進方向に弾性支持するように、フレーム５２に少なくとも１つが設けられる。具体的に、連動レール６５は、フレーム５２に設けられ、フレーム５２のスライド動作に沿って選択的に加圧体６１を前後進させるためのものであり、フレーム５２に一対が設けられる。これにより、連動レール６５は、カバーユニット２０の動きに連動して加圧体６１を選択的に加圧するようになる。
【００４０】
稼動爪６６は、図７に示すように、カバーユニット２０が閉鎖位置から開放位置に向かうスライド方向Ｍ１に基づいて連動レール６５の後端に段差を有して形成され、加圧体６１の後進加圧力を選択的に解除させる。すなわち、稼動爪６６は、連動レール６５と加圧体６１との間の接触を解除させるために、連動レール６５の後端に段差を有して形成される。このような稼動爪６６は、連動レール６５の後端に設けられることにより、開放位置へのカバーユニット２０のスライド移動が完了する位置に設けられる。これにより、稼動爪６６は、カバーユニット２０の閉鎖位置へのスライデド移動が完了する時点に、連動レール６５と加圧体６１との間の接触を解除させ、加圧体６１が前進させることができる高さで段差を有する。
【００４１】
このような構成により、カバーユニット２０と共に開放位置にスライドするフレーム５２の移動に連動して連動レール６５と加圧体６１との接触が解除されれば、加圧体６１は加圧スプリング６４の加圧力によって前進して端子ユニット３０を解除位置側に所定の範囲押し出すようになる。これにより、端子ユニット３０は、固定位置を容易に逸脱し、ヒンジ軸によって第１方向に回転して端末機本体１０に対して突出するようになる。
【００４２】
また、フレーム５２に形成される稼動爪６６は、図７の（ｂ）に示されるように、開放位置にカバーユニット２０が移動するとき、加圧体６１の縁部とが噛み合ってその位置を固定させるストッパ（Ｓｔｏｐｐｅｒ）の役割を備える。すなわち、カバーユニット２０を閉鎖位置側に加圧する弾性体５５の弾性力が稼動爪６６と加圧体６１との噛み合いによって規制され、開放位置に位置するカバーユニット２０の姿勢を固定させるのである。このような構成によれば、稼動爪６６が形成される位置によって、カバーユニット２０の開放位置への移動距離を調節できるようになる。
【００４３】
なお、本実施形態において、本発明に係る無線通信端末機１がコンピュータに接続して無線インターネット環境を提供する端末機であることを例示することにより、ガイドユニット４０がカバーユニット２０と端子ユニット３０を互いに連動させることを例示したが、本発明の構成はこれに限られない。すなわち、無線通信端末機１が個人携帯通信端末機（ＰＣＳ、ｐｅｒｓｏｎａｌ  ｃｏｍｍｕｎｉｃａｔｉｏｎ  ｓｅｒｖｉｃｅｓ）の場合、ガイドユニット４０が互いに連動させる２つのユニットが、例えばカバーユニットとマイクユニットのような構成の変形例でも本発明が実施可能であることは当然である。
【００４４】
以上のような構成を有する本発明の一実施形態に係る無線通信端末機１の動作について、図１〜７を参照しながら説明する。
【００４５】
まず、カバーユニット２０と端子ユニット３０とを用いようとする場合には、図１のように端末機本体１０にカバーユニット２０と端子ユニット３０とが第１収納空間１１および第２収納空間１２にそれぞれ収納された状態から、図２のように端子ユニット３０よりも相対的に端末機本体１０に対して外側に収納されるカバーユニット２０をＭ１方向、すなわち開放位置に向かってスライドさせる。これにより、図５および図６に示すように、カバーユニット２０と連結したフレーム５２がカバーユニット２０と共にＭ１方向にスライドする。このとき、フレーム５２は、図７に示すように、端末機本体１０に設けられたレール５１に挿入するスライド突起５３を備えることでそのスライド移動がガイドされ、フレーム５２と連結した弾性体５５はＭ１方向に引っ張られる。
【００４６】
このようにカバーユニット２０と連結したフレーム５２がＭ１方向すなわち開放位置に向かって継続して移動することにより、図７に示すように、フレーム５２に設けられた連動レール６５と接触して後進していた加圧体６１が、段差を有する稼動爪６６と噛み合うようになる。これにより、図６の（ａ）および図７の（ａ）のような加圧体６１と連動レール６５との間の接触力が解除され、図６の（ｂ）および図７の（ｂ）のように、加圧体６１が加圧スプリング６４によって前進すると同時にカバーユニット２０の開放位置が固定される。このようなカバーユニット２０によって固定位置に固定されていた端子ユニット３０の固定力が解除されることにより、端子ユニット３０のヒンジ軸の回転力によって解除位置に向かって突出されるようになる。これにより、ユーザは、解除位置に突出した加圧された端子ユニット３０をＭ３方向に回転させることで、ノートパソコンのようなコンピュータに端子ユニット３０を介して無線通信端末機を容易に接続できるようになる。
【００４７】
一方、カバーユニット２０と端子ユニット３０を端末機本体１０に収納する場合には、端子ユニット３０を固定位置に向かって、すなわち図２に示すＭ４方向に回転させて第２収納空間１２に収納させる。このとき、端子ユニット３０が端末機本体１０の外側面に対して突出しないように完全に第２収納空間１２に収納させることにより、加圧体６１が後進加圧される。これにより、加圧体６１と稼動爪６６との間の噛み合いが解除され、カバーユニット２０の開放位置固定力が解除される。これにより、弾性体５５の復元力によって図２に示すＭ２方向にカバーユニット２０がスライドし、カバーユニット２０も第１収納空間１１に収納される。
【００４８】
以上のように、本発明によれば、操作性と携帯性の向上した小型の無線通信端末機を提供することができるとともに、小型無線通信端末機においても高品質の放射性能を実現できる。
【００４９】
以上、本発明について実施形態を参照して説明したが、本発明の属する技術分野において熟練した当業者にとっては、特許請求の範囲に記載された本発明の思想および領域から逸脱しない範囲内で、本発明を多様に修正および変更させることができることを理解できるであろう。すなわち、本発明の技術的範囲は、特許請求の範囲に基づいて定められ、上述した実施形態により制限されるものではない。
【符号の説明】
【００５０】
１：無線通信断面図
１０：端末機本体
２０：カバーユニット
３０：端子ユニット
４０：ガイドユニット
５０：第１ガイドユニット
６０：第２ガイドユニット
【図１】
2010206781.tif 000003
【図２】
2010206781.tif 000004
【図３】
2010206781.tif 000005
【図４】
2010206781.tif 000006
【図５】
2010206781.tif 000007
【図６】
2010206781.tif 000008
【図７】
2010206781.tif 000009